(57)【特許請求の範囲】
【請求項１】
籾摺装置により摺り出された摺米を揺動選別板による揺動選別部に供給して玄米、混合米および籾とに選別する籾摺選別装置であって、摺米を揺動選別部に供給する供給シュートを揺動選別部と一体に揺動するように設け、この供給シュートに、摺米中の藁、異物等の夾雑物を除去する粗選別部と、粗選別部で夾雑物を除去された摺米から糠を分離除去する糠除去部を設けて成ることを特徴とする籾摺選別装置。
【請求項２】
供給シュートに粗選別部を構成する粗選別網と糠除去部を構成する糠除去網とを上下重合状に設けたことを特徴とする請求項１記載の籾摺選別装置。
【請求項３】
揺動選別部の揺動は、往復回動によることを特徴とする請求項１または２記載の籾摺選別装置。
【発明の詳細な説明】
【０００１】
【発明の属する技術分野】
本発明は、籾摺装置により摺り出された摺米を揺動選別板による揺動選別部に供給して玄米、混合米および籾とに選別する籾摺選別装置に関する。
【０００２】
【従来の技術】
籾摺装置により摺り出された摺米は、玄米に摺り残りの籾とが混合した混合米となっているが、これを各種の選別手段により玄米、混合米および籾とに選別することが行われている。従来、そのための選別手段としては、揺動選別板による揺動選別装置が普及している。そして、籾摺装置により摺り出される摺米には、藁、小石その他種々の異物等の夾雑物が少なからず混在しているので、揺動選別板による揺動選別に先立って、夾雑物を選別除去することが行われている。
【０００３】
【発明が解決しようとする課題】
ところで、籾摺装置より摺り出される摺米には、上記のような夾雑物のほかに糠が相当に混在しているが、糠は粘性が高く付着堆積しやすいので、揺動選別部の揺動選別板の粗雑面から成る選別面を比較的短期間で埋め尽くしてしまい、時々清掃をしなければ選別機能が大きく低下することが避けられない。しかしながら、揺動選別部の揺動選別板は粗雑面を成しているうえ、揺動選別部は複雑な構成であるところから、その清掃は甚だ面倒であり、かつ作業が容易でないのが実状である。
【０００４】
そこで、本発明は、揺動選別部と一体に揺動する供給シュートに、摺米中の藁、異物等の夾雑物を除去する粗選別部と、粗選別部で夾雑物を除去された摺米から糠を分離除去する糠除去部を設けて、摺米から藁、異物等の夾雑物を除去して糠を除去しやすいようにしたうえで摺米から糠を分離除去することにより、揺動選別部に供給される摺米から糠を効率よく除去し、糠による揺動選別板の選別作用が長期間にわたって減退するのを防止して、高い選別効率を維持することができる籾摺選別装置を提供することを目的とする。
【０００５】
【課題を解決するための手段】
上記目的を達成するため、本発明に係る籾摺選別装置は、籾摺装置により摺り出された摺米を揺動選別板による揺動選別部に供給して玄米、混合米および籾とに選別する籾摺選別装置であって、摺米を揺動選別部に供給する供給シュートを揺動選別部と一体に揺動するように設け、この供給シュートに、摺米中の藁、異物等の夾雑物を除去する粗選別部と、粗選別部で夾雑物を除去された摺米から糠を分離除去する糠除去部を設けて成ることを特徴とするものである。
【０００６】
本発明においては、上記構成において、供給シュートに粗選別部を構成する粗選別網と糠除去部を構成する糠除去網とを上下重合状に設けることが、供給シュートを延長することなく糠除去網を設けることができるうえで好適である。
【０００７】
また、本発明においては、揺動選別部の揺動を、往復回動させることが好適である。
【０００８】
【発明の実施の形態】
図面は本発明の一実施の形態を示し、図１は本発明に係る籾摺選別装置の斜視図、図２は本発明に係る籾摺選別装置の縦断側面図である。
【０００９】
図１および図２において、１は本発明に係る籾摺選別装置であり、２はその揺動選別部である。この揺動選別部２は複数枚の揺動選別板３を多段状に設けて成るものである。揺動選別部２は揺動機構（図示せず）により揺動させるものである。本実施の形態では、揺動選別部２を往復形動させるように成っている。４は供給シュートである。この供給シュート４は、揺動選別部２の上に傾斜状に配置され、かつ揺動選別部２と一体状に取り付けられている。供給シュート４の傾斜上端側には摺米供給口５を有しており、供給シュート４の傾斜下端側は接続胴６により揺動選別部２に接続されている。７は各揺動選別板３の摺米供給口である。
【００１０】
８は摺米タンクであり、供給シュート４の摺米供給口５に対応して設けられている。なお、摺米タンク８は揺動選別部２とともに揺動するように振り子状としてもよい。供給シュート４の摺米供給口５の下から傾斜方向には、摺米中の藁、異物等の夾雑物を除去する粗選別部９と、粗選別部で夾雑物を除去された摺米から糠を分離除去する糠除去部１０を設けている。上記粗選別部９は粗選別網１１により、糠除去部１０は糠除去網１２により構成され、粗選別網１１と糠除去網１２とは上下重合状に設けてある。１３は夾雑物受箱である。１４は糠排出樋であって糠除去網１２により分離除去された糠を排出するためのものである。
【００１１】
以上のように構成された籾摺選別装置１において、籾摺装置（図示せず）により摺り出された摺米は、摺米タンク８に供給され、摺米供給口５から供給シュート４に供給され、揺動選別部２の揺動に伴う供給シュート４の揺動により、先ず粗選別部９の粗選別網１１上で藁、異物等の夾雑物が除去され、除去された夾雑物は夾雑物受箱１３に収容される。そして、粗選別部９の粗選別網１１により夾雑物が除去された摺米は、粗選別網１１から漏下して糠除去部１０の糠除去網１２上に供給され、揺動する糠除去網１２により糠が分離除去される。そして、分離除去された糠は糠除去網１２を漏下して糠排出樋１４を介して外部に排出され、糠を除去された摺米は供給シュートの傾斜下端方向に流下し、接続胴６を経て各揺動選別板３の各摺米供給口７から揺動選別板３上に供給され、玄米、混合米および籾とに揺動選別される。
【００１２】
ところで、本発明の実施の形態に係る籾摺選別装置１によれば、揺動選別部２と一体に揺動する供給シュート４に、摺米中の藁、異物等の夾雑物を除去する粗選別部９と、粗選別部９で夾雑物を除去された摺米から糠を分離除去する糠除去部１０を設けたので、摺米から藁、異物等の夾雑物を除去して、糠を除去しやすいようにしたうえで摺米から糠を分離除去することができる。このため、揺動選別部２に供給される摺米から糠を効率よく除去し、糠による揺動選別板３の選別作用が長期間にわたって減退するのを防止して、摺米の高い選別効率を維持することができる。
【００１３】
しかも、本発明の実施の形態に係る籾摺選別装置１によれば、供給シュート４に粗選別部９を構成する粗選別網１１と糠除去部１０を構成する糠除去網１２とを上下重合状に設けているので、糠除去網１２を設けても、供給シュート４はそれを延長することなく、揺動選別部２の前後幅内に収めることができて構成上好適である。
【００１４】
【発明の効果】
本発明によれば、揺動選別部と一体に揺動する供給シュートに、摺米中の藁、異物等の夾雑物を除去する粗選別部と、粗選別部で夾雑物を除去された摺米から糠を分離除去する糠除去部を設けて、摺米から藁、異物等の夾雑物を除去して糠を除去しやすいようにしたうえで摺米から糠を分離除去することにより、揺動選別部に供給される摺米から糠を効率よく除去し、糠による揺動選別板の選別作用が長期間にわたって減退するのを防止して、摺米の高い選別効率を維持することができる籾摺選別装置が得られる。
【図面の簡単な説明】
【図１】本発明に係る籾摺選別装置の斜視図である。
【図２】本発明に係る籾摺選別装置の縦断側面図である。
【符号の説明】
１  籾摺選別装置
２  揺動選別部
３  揺動選別板
４  供給シュート
５  摺米供給口
６  接続胴
７  摺米供給口
８  摺米タンク
９  粗選別部
１０  糠除去部
１１  粗選別網
１２  糠除去網
１３  夾雑物受箱
１４  糠排出樋
【図１】
0003642661.tif 000002
【図２】
0003642661.tif 000003